(57)【要約】      （修正有）【課題】卵パックに包装された卵と、卵パックから取り出されたバラの卵とを一緒に収納することができる冷蔵庫を提供する。【解決手段】係る冷蔵庫１は、貯蔵室内に卵収納容器６０が配設された冷蔵庫１であって、卵収納容器６０は、板状の板部と、板部に設けられ卵パックＰが載置される収納部と、板部の一方面（表面）から上方に立設された足部と、板部を貫通する収容穴と、板部の一方面から上方に立設され個々の卵Ｅを支持する支持部とを備える。【選択図】図２
2011043296.tif 000002
【特許請求の範囲】
【請求項１】
貯蔵室内に卵収納容器が配設された冷蔵庫であって、
前記卵収納容器は、板状の板部と、前記板部に設けられ卵パックが載置される収納部と、前記板部の一方面から上方に立設された足部と、前記板部を貫通する収容穴と、前記板部の一方面から上方に立設され個々の卵を支持する支持部とを備えることを特徴とする冷蔵庫。
【請求項２】
前記収容穴が前記収納部に設けられていることを特徴とする請求項１に記載の冷蔵庫。
【請求項３】
前記支持部が上方に開口する筒状をなしていることを特徴とする請求項１又は２に記載の冷蔵庫。
【請求項４】
前記支持部の中空部分が前記収容穴に連通していることを特徴とする請求項３に記載の冷蔵庫。
【請求項５】
前記卵収納容器は、上面に開口する収納ケースに収納された状態で前記貯蔵室内に配設され、前記収納ケースの底面に通気孔が穿設されていることを特徴とする請求項１〜３のいずれか１項に記載の冷蔵庫。
【発明の詳細な説明】
【技術分野】
【０００１】
本発明は、冷蔵庫に関し、特に、卵を収納する卵収納容器を備えた冷蔵庫に関する。
【背景技術】
【０００２】
従来より貯蔵室に卵を収納する卵収納容器を備えた冷蔵庫が知られている。この種の冷蔵庫の卵収納容器では、複数設けられた穴部に個々の卵が収容されたり、複数の卵が卵パックで区画包装されたままの状態で収容されたりする。
【０００３】
ところで、冷蔵庫内の卵が無くなる前に新たに卵を購入することがあるが、このような場合に、卵パックから取り出されたバラの卵が既に穴部に収容されていても、さらに卵パックで包装された複数の卵を収納することができるように、卵を収納する穴部を縦３列、横５列に配置した卵収納容器を備えた冷蔵庫が提案されている（例えば、特許文献１参照）。このような特許文献１に記載された卵収納容器では、卵パックから取り出されたバラの卵と、新しく購入した卵パックに包装された状態の卵とを一緒に収納することができる。
【先行技術文献】
【特許文献】
【０００４】
【特許文献１】特開２００１−２８９５５４号公報
【発明の概要】
【発明が解決しようとする課題】
【０００５】
しかしながら、特許文献１の冷蔵庫では、卵収納容器の穴部に卵パックの凸部を嵌め入れなければならず卵パックの形状によっては、安定して収納することができないおそれがある。
【０００６】
本発明は、上記問題を考慮してなされたものであり、卵パックに包装された卵と、卵パックから取り出されたバラの卵とを一緒に収納することができ、しかも、卵パックの形状によらず安定して収納できる卵収納容器を配設した冷蔵庫を提供することを目的とする。
【課題を解決するための手段】
【０００７】
本発明に係る冷蔵庫は、貯蔵室内に卵収納容器が配設された冷蔵庫であって、前記卵収納容器は、板状の板部と、前記板部の表面に設けられ卵パックが載置される収納部と、前記板部の表面から上方に立設された足部と、前記板部を貫通する収容穴と、前記板部の表面から上方に立設され個々の卵を支持する支持部とを備えることを特徴とする。
【発明の効果】
【０００８】
本発明では、上記構成により、卵パックに包装された卵と、卵パックから取り出されたバラの卵とを一緒に収納することができ、しかも、卵パックの形状によらず安定して収納することができる。
【図面の簡単な説明】
【０００９】
【図１】本発明の第１実施形態に係る冷蔵庫の斜視図である。
【図２】図１に示す冷蔵庫の断面図である。
【図３】図１に示す冷蔵庫の収納ケースの平面図である。
【図４】図１に示す冷蔵庫の卵収納容器の斜視図である。
【図５】図４に示す卵収納容器の使用状態を示す斜視図である。
【図６】図５のＡ−Ａ断面図である。
【図７】図４に示す卵収納容器の使用状態を示す斜視図である。
【図８】図７のＢ−Ｂ断面図である。
【発明を実施するための形態】
【００１０】
以下、本発明の一実施形態について、図面を参照して説明する。
【００１１】
本実施形態の冷蔵庫１は、外箱２と内箱３との間に発泡断熱材４を充填して断熱箱体を形成し、貯蔵室内部を断熱仕切壁５によって上部の冷蔵室６と下部の冷凍空間７とに区画している。
【００１２】
冷蔵室６の前面開口部は観音開き式の左右の扉８によって閉塞されており、冷蔵室６の内部の上方部は複数段の載置棚９を設けた冷蔵貯蔵室１０としている。冷蔵貯蔵室１０の下方は、透明樹脂製の載置棚を兼ねた天井仕切板１２で仕切られ独立空間が形成され、その内部に引き出し式の野菜容器１３を配置することで野菜室１１としている。
【００１３】
野菜容器１３は、高さの低い前壁１３ａと周壁とからなる上面を開放した容器であり、内箱３の両側壁に前後方向に亙って設けた図示しないスライドレール部材によって前後方向に摺動可能として引き出し自在な構成としている。
【００１４】
野菜容器１３を冷蔵室６内の所定の位置に収納し設置した場合には、その上面に配置した天井仕切板１２によって野菜容器１３の上面が閉塞される。野菜容器１３の前壁１３ａと天井仕切板１２の前縁で形成される開口部には、野菜容器１３の前後移動に連動して開口部を開閉するとともに、手動にてもその開閉ができ、あるいは常時開状態を維持することができる蓋体１６を配設している。
【００１５】
野菜室１１の底面を形成する底面仕切板１４と、冷蔵室６の底面を形成する断熱仕切壁５とにより上下に区画された空間には、卵が卵収納容器６０に支持させた状態で収納される引出式の収納ケース５０と、内部が０〜−３℃程度に冷却される引出式のチルド容器１５とが左右に併設されている。
【００１６】
冷凍空間には、断熱仕切壁５の直下に自動製氷装置を備えた製氷室１８と、冷却貯蔵室、例えば、−１８℃や−９℃のソフト冷凍温度帯などの冷凍温度に冷却することができる温度切替室１９とが左右に配置されている。製氷室１８と温度切替室１９の下部には、前面を上下に区画する横仕切板２１を介して冷凍室２２が配置されている。
【００１７】
そして、冷蔵室６および冷凍空間７のそれぞれの背面部には、冷蔵用冷却器２８および冷凍用冷却器２９および各冷却器に対応するファン３０，３１をそれぞれ配設し、各冷却器２８，２９で生成された冷気をファン３０，３１によりダクトを介してそれぞれの貯蔵室内に導入しこれを冷却するようにしている。
【００１８】
冷蔵用冷却器２８および冷凍用冷却器２９は、冷蔵庫１の下部に設けた圧縮機３２から吐出された冷媒を、不図示の冷凍サイクルにより交互に導いて冷却されるものである。冷蔵用冷却器２８との熱交換により低温化された冷気が、ファン３０によって冷蔵室６内に送風されることで、冷蔵貯蔵室１０、野菜室１１及び収納ケース５０内を適温に冷却する。また、冷蔵用冷却器２８から冷気の一部は、チルド容器１５内に直接導入され、チルド容器１５内を冷蔵室６内より低温に冷却する。
【００１９】
また、冷凍運転になると、冷媒は冷凍用冷却器２９に直接導入されて低い蒸発温度で蒸発し、熱交換により−２０℃以下の低温となった冷気が、ファン３１によって冷凍空間７である冷凍室２２や製氷室１８内に送風されることで、各室を所定温度に冷却する。
【００２０】
制御装置は、冷蔵室６内の温度と、主に冷凍室２２の温度とを比較して圧縮機３２、各ファン３０，３１の運転を行う。また、冷蔵運転と冷凍運転との切り替えは、冷却中の各室内温度が所定温度、例えば、冷蔵室温度センサの検知温度が０℃、冷凍室温度センサの検知温度が−２０℃に達するか、あるいは、冷却運転時間が所定時間、例えば冷蔵運転が１５分〜２０分、冷凍運転が３０分〜４０分が経過すると三方弁を動作させて他方の冷却運転に切り替え、交互に運転するように制御している。
【００２１】
このような構成の冷蔵庫１において、底面仕切板１４と断熱仕切壁５との間に配設された収納ケース５０は、図３に示すように、上面に開口する偏平な箱状をなし、外側面に設けられた係止部５２が冷蔵庫内に設けられた不図示のレール上を摺動することで冷蔵庫の前後方向に引き出される。収納ケース５０の底面には、内部に冷気を導入するための通気口５４が複数穿設されるとともに、卵収納容器６０に設けられた凸部（不図示）が嵌り込み卵収納容器６０を位置決めして収納ケース５０内に配置するための凹部５６が配設されている。
【００２２】
卵収納容器６０は、図４に示すように、矩形板状の板部６２と、板部６２の一方面（表面）に設けられ収納部６４と、板部６２の表面から上方に立設された足部６６と、板部６２を貫通する収容穴６８と、板部６２の表面から上方に立設され支持部７０とを備え、例えば、板部６２の長手方向を冷蔵庫の前後方向に一致させて収納ケース５０内に配設される。
【００２３】
具体的には、板部６２の表面には、長手方向に沿って複数個（例えば、４個）の支持部７０が板部６２の一方側部に寄せて配設され、他方側部に卵パックＰを載置するための収納部６４が配設されている。
【００２４】
収納部６４には板部６２を貫通する円形の収容穴６８が長手方向に複数列（例えば、２列）に多数形成されている。また、支持部７０の底面にも、収納部６４に穿設された収容穴６８と同様に板部６２を貫通する収容穴６８が穿設され、上方に開口する筒状をなした支持部７０の中空部７０ａがこの収容穴６８に連通している。
【００２５】
足部６６は、板部６２の周縁部において板部６２の表面より支持部７０と同じ方向へ立設されており、支持部７０より高さ寸法が高く設定されている。
【００２６】
このような構成において、図５及び図６に示すように、足部６６及び支持部７０が立設された表面側を上方に向けて卵収納容器６０を収納ケース５０内に配置することで、卵パックＰに収納された卵を載置する収納部６４と、卵パックＰから取り出されたバラの卵Ｅを中空部７０ａに貫通状態に保持する支持部７０とが形成される。
【００２７】
そして、図７及び図８に示すように、足部６６及び支持部７０が立設された表面側を下方に向けて卵収納容器６０を収納ケース５２に配置することで、卵収納容器６０の上面には、収容穴６８が冷蔵庫前後方向に複数列（例えば、３列）に多数配列された収容穴６８が形成される。収容穴６８は、収納ケース５２の底面と足部６６の高さに相当する所定間隔をあけて収納ケース５２内に配置されるため、各収容穴６８に卵パックＰから取り出されたバラの卵Ｅを貫通状態に保持させることができる。
【００２８】
以上のように本実施形態の冷蔵庫１では、足部６６及び支持部７０が立設された表面側を上方に向けて卵収納容器６０を収納ケース５０内に配置することで、卵パックＰから取り出されたバラの卵Ｅを支持部７０に支持させることができるとともに、卵パックＰに収納された卵を収納部６４に載置することができる。しかも、収納部６４に設けられた収容穴６８は、卵収納容器６０の下面を支持する収納ケース５０によって閉塞されるため、卵パックＰを安定して収納部６４に載置することができる。
【００２９】
また、収納部６４には板部６２を貫通する収容穴６８が穿設されているため、足部６６及び支持部７０が立設された表面側を下方に向けて卵収納容器６０を収納ケース５２に配置することで、収容穴６８に卵パックＰから取り出されたバラの卵Ｅを貫通状態に保持させることができる。つまり、卵収納容器６０の表裏を反転させることによって、収納部６４を、卵パックＰを載置するスペースと、バラの卵Ｅを個別に支持するスペースとに兼用することができるため、使用者のニーズに合わせて柔軟にレイアウトを変更することができ、卵の収納形態の自由度が格段に広がる。
【００３０】
さらにまた、板部６２に穿設された収容穴６８が支持部７０の中空部７０ａに連通しているため、足部６６及び支持部７０が立設された表面側を下方に向けて卵収納容器６０を収納ケース５２に配置した時に、支持部７０の上部にも卵パックＰから取り出されたバラの卵Ｅを保持させることができ、卵収納容器６０にスペース効率よくバラの卵Ｅを保持させることができる。
【符号の説明】
【００３１】
１…冷蔵庫   ６…冷蔵室   ８…扉
１０…冷蔵貯蔵室 １１…野菜室 １４…底面仕切板
１５…チルド容器 １８…製氷室 １９…温度切替室
２２…冷凍室 ５０…収納ケース ５２…係止部
５４…通気口 ５６…凹部 ６０…卵収納容器
６２…板部 ６４…収納部 ６６…足部
６８…収容穴 ７０…支持部 ７０ａ…中空部
Ｅ…卵   Ｐ…卵パック
【図１】
2011043296.tif 000003
【図２】
2011043296.tif 000004
【図３】
2011043296.tif 000005
【図４】
2011043296.tif 000006
【図５】
2011043296.tif 000007
【図６】
2011043296.tif 000008
【図７】
2011043296.tif 000009
【図８】
2011043296.tif 000010